(57)【要約】【課題】  同軸ケーブルの銅箔テープやシールド線に傷付けることなく、シールド線を容易で確実に開傘状態とすることができるシールド線開き治具の提供。【解決手段】  同軸ケーブルに差し込まれる円柱体１の先端の孔開口面４が軸の方向に対して斜面となっており、孔開口面４の周線５からはそれより後方の円柱体外面へ向っての傾斜面６となって先端が鋭角な刃形部15を形成する形状となっている。このような形状とすることによって、同軸ケーブルにシールド線開き治具を差し込んだ時に最初に銅箔テープ或いはシールド線の切断部に接触するのは刃形部15の最先端の部分となり、この部分を銅箔テープとシールド線の間に差し込むことが従来のように刃形部全周を同時に差し込まなければならないのに較べて容易となり、シールド線の開傘作業が容易で確実に行える。【選択図】        図１
2005312257.tif 000002
【特許請求の範囲】
【請求項１】
内部で軸方向に断面円形の孔を有する円柱体の一方端の孔開口面が軸方向に対する斜面となっており、該開口の周線からはそれより後方の円柱体外面へ向っての傾斜面となっていることを特徴とするシールド線開き治具。
【請求項２】
開口周線の軸方向先端から円柱体後方外面へ向っての傾斜と、開口周線の軸方向後端から円柱体後方外面へ向っての傾斜が同じである請求項１記載のシールド線開き治具。
【発明の詳細な説明】
【技術分野】
【０００１】
本発明は、同軸ケーブルの先端に端子やコネクタを取り付ける際に同軸ケーブルの先端のシールド線を剥離開傘するシールド線開き治具の技術分野に属する。
【背景技術】
【０００２】
同軸ケーブルは、高周波特性が優れているとともに誘導雑音の遮蔽効果が高いという特性を有しており、テレビジョンのアンテナケーブルや高周波機器の信号伝送用に広く使用されている。この同軸ケーブルの構造は、一般に図３の（ａ）、（ｂ）に示すように、中心部に複数の銅線を束ねた導体７を有し、導体７の外周をポリプロピレンなどの絶縁体８で覆い、絶縁体８の外周に銅箔テープ９とその外側に銅細線を編組したシールド線１０を被せ、最外周を外被１１で覆ったものであり、絶縁体８、銅箔テープ９、シールド線１０及び外被１１の断面は、同心円状となっている。
【０００３】
このような同軸ケーブルは、先端に端子やコネクタを取り付けられて使用されるもので、図３の（ｃ）〜（ｊ）は、同軸ケーブルの先端にコネクタを装着する工程の１例を示したものである。
【０００４】
図３の（ｃ）は同軸ケーブルの両端を切断した状態で、（ｄ）はケーブルストリッパーなどを使って同軸ケーブルの一方の端末の外被１１などを取り去り、導体７、絶縁体８及びシールド線１０を剥き出しにした状態である。なお、（ｄ）において銅箔テープ９は、シールド線１０の内側となっているため見えていない。（ｅ）は（ｄ）の状態から銅箔テープ９の形状をそのままに保ったままでシールド線１０だけを剥離して開傘状態としたものである。
【０００５】
続いて図３の（ｆ）から（ｊ）は、先端部にコネクタを取り付ける工程を示したもので、先ず、（ｆ）のように導体７の先端に半田付けや圧着によってコンタクト１２を取り付け、その後、（ｇ）に示すようにシェル１３とフェルール１４を取り付け、（ｈ）に示すようにフェルール１４をシェル１３側に押し込んで（ｉ）に示すようにフェルール１４を（ｊ）に示す六角形状にカシメ工事を行って、コンタクト１２、シェル１３及びフェルール１４からなるコネクタの装着が完了する。
【０００６】
以上示した図３の（ｄ）の状態から（ｅ）に示すように銅箔テープ９の形状を保ったままでシールド線１０だけを剥離して開傘状態に加工する方法として、従来、竹串やピンセットなどを用いて手作業で行われていたが、その後、内部で軸方向に断面円形の孔を有する円柱体で、その先端を円錐形（テーパー）状とした形体のシールド線開き治具が用いられるようになって来た（例えば、特許文献１参照）。
【０００７】
図４は、従来のシールド線開き治具の構造を示す外観図及び拡大図であり、（ａ）は外観図、（ｂ）は（ａ）の先端部（Ｅ部）のＦ矢視図、（ｃ）は先端部（Ｅ部）の断面図である。（ｂ）及び（ｃ）に示すように従来のシールド線開き治具では、円柱体３１の内部で軸の方向に断面円形の孔３２が設けられ、円柱体３１の先端は、孔開口面３４が軸と直角となり円錐形（テーパー）状で刃形部３５を持った形状となっている。
【０００８】
図５は、従来のシールド線開き治具の使用状態の詳細を示す図であり、（ａ）は、ケーブルストリッパーなどを使って図３の（ｄ）の状態に加工した同軸ケーブルの端末を、シールド線開き治具の円柱体３１の孔３２に差し込んだ状態を示したものである。（ｂ）は（ａ）のＧ部の立体図であり、内部が分かりやすいようにシールド線開き治具の内部を透明にして示したものである。（ｃ）は（ａ）のＧ部の断面図である。なお、（ａ）において銅箔テープ９は、シールド線１０の内側となっているため見えていない。
【０００９】
図５の（ｃ）に示すように、従来のシールド線開き治具を使った作業は、先ず、孔開口面３４の刃形部３５の先端が銅箔テープ９とシールド線１０の切断部に接触するように、円柱体３１の孔３２の中に導体７と絶縁体８の先端を差し込む。続いて、刃形部３５の先端の全周を銅箔テープ９とシールド線１０の間に差し入れ、その状態で円柱体３１の先端が外被１１の切断部に突き当たるまで円柱体３１を矢印の方向に同軸ケーブルに差し込んで行く。
【００１０】
以上の作業によって、シールド線１０は、銅箔テープ９から剥離されて開傘状態となり、同軸ケーブルから円柱体３１を引き抜くことによって、図３の（ｅ）に示すように加工された状態となる。
【特許文献１】実公平８−４７１４号公報（図３）
【発明の開示】
【発明が解決しようとする課題】
【００１１】
前述のとおり従来のシールド線開き治具は、図４の（ｂ）、（ｃ）及び図５の（ｃ）に示すように円柱体３１の軸に対して直角な孔開口面３４を有し先端が鋭角刃形の形状となっているもので、この孔開口面３４の刃形部３５の先端を銅箔テープ９とシールド線１０の間に差し込んで行きシールド線１０を銅箔テープ９から剥離して開傘状態に加工するものである。
【００１２】
このように使用される従来のシールド線開き治具は、孔開口面３４が軸に直角であるため、図５の（ｃ）の状態から円柱体３１をさらに差し込んで行き銅箔テープ９を孔３２の内部に入れてシールド線１０の刃形部３５の外側になるようにしてシールド線１０を開傘状態にするためには、刃形部３５の先端の全周が銅箔テープ９とシールド線１０の切断部の全周のそれぞれの間に同時に差し入れるように注意深く作業しなければならない。
【００１３】
もしも、注意を怠った場合や同軸ケーブルの軸とシールド線開き治具の軸がずれていた場合は、刃形部３５の一部が銅箔テープ９またはその内側に入り込み、刃形部３５の残りの部分がシールド線１０の外側に入ってしまう。このような状態で円柱体３１を同軸ケーブルに差し込んで行くと、刃形部３５が銅箔テープ９或いはシールド線１０の一部を噛み込んでしまい、銅箔テープ９とシールド線１０に損傷を加えてしまうことになる。
【００１４】
このような不具合を避けるためには、シールド線開き治具は孔３２の内径が同軸ケーブルの銅箔テープ９の外径に合ったものを使用して、操作するときには刃形部３５の先端円の全周が同時にシールド線と銅箔テープの間にくるように位置合わせをしなければならない。
【００１５】
しかし、同軸ケーブルは型を使ってその断面が円形となるように製作されるが、材質のむらや製作する時の温度などによって断面の径が僅かに変化してしまう。また、同軸ケーブルを屈曲させたままで放置したり、強い力で切断するとその断面は楕円状に変形してしまう。このように、僅かではあるが種々様々に変形している同軸ケーブルの端末のシールド線と銅箔テープの間に治具の刃形部３５の先端円全周を位置合わせすることは益々困難となり、シールド線を開傘するためには、種々様々に変形している同軸ケーブルに合わせて直径や形状の異なる孔を有する複数のシールド線開き治具を準備することも必要になってくるという問題がある。
【００１６】
本発明が解決しようとする課題は、上記問題に鑑みて、治具の刃形部を、シールド線と銅箔テープの間に合わせ易い形状にして、シールド線開傘の作業を行い易くし、ケーブルに多少の変形があったとしても作業が容易確実に行えるようにし、寸法や形状の異なる治具の種類も少なくて済むシールド線開き治具を提供することにある。
【課題を解決するための手段】
【００１７】
上記の課題を解決するため、本発明のシールド線開き治具の第１の構成（基本構成）は、内部で軸方向に断面円形の孔を有する円柱体の一方端の孔開口面が軸方向に対する斜面となっており、該開口の周線からはそれより後方の円柱体外面へ向っての傾斜面となっていることを特徴とする。
【００１８】
第２の構成は、前記第１の構成において、開口周線の軸方向先端から円柱体後方外面へ向っての傾斜と、開口周線の軸方向後端から円柱体後方外面へ向っての傾斜が同じであることを特徴とするシールド線開き治具である。
【発明の効果】
【００１９】
本発明のシールド線開き治具は、同軸ケーブルに差し込まれる円柱体の先端の孔開口面が軸方向に対して斜面となっており、さらに、孔開口面の周線からはそれより後方の円柱体外面へ向っての傾斜面となって先端が鋭角な刃形の形状をしたものである。このために、同軸ケーブルにシールド線開き治具を差し込んだ時に最初に銅箔テープ或いはシールド線の切断部に接触するのは、孔開口面の軸方向最先端の鋭角な刃形の部分だけとなる。
【００２０】
従って、この孔開口面の最先端の刃形の部分だけを銅箔テープとシールド線の間に差し込むことは極めて容易となり、銅箔テープの外径が円柱体の孔の内径と僅かに違っている場合でも差し込み作業は容易に可能となる。さらに、シールド線開き治具を同軸ケーブルに差し込んで行くときに、シールド線開き治具を僅かに左右に捻ることにより、差し込まれた刃形部の最先端の両側のシールド線が部分的に銅箔テープから剥離されていくために、銅箔テープやシールド線を噛み込んで傷つけることがなく、差し込み作業が容易で確実に行えることになる。
【００２１】
このため、本発明のシールド線開き治具は、従来のシールド線開き治具よりも容易で確実に作業できるということから熟練作業者が必要なく作業工数も低減できることから加工費が低減でき、品質も向上できるという効果を有するうえ、同一のケーブル用の治具として寸法や形状の異なるものを複数準備する必要が無く経費が削減できるという効果もある。
【発明を実施するための最良の形態】
【００２２】
本発明のシールド線開き治具は、銅箔テープとシールド線の間に差し込んで使用するものであるために、その材質は、繰り返し使用しても銅箔テープとシールド線の摩擦によって摩耗の少ない金属を使用することが最良であり、孔の内面は、銅箔テープの外面を摺動するものであるため、傷等の無い滑らかな面に仕上げてあることが最良である。
【００２３】
また、本発明のシールド線開き治具の孔開口面の傾斜角度（軸に対する孔開口面の角度）は、傾斜角度が緩い（軸に対する孔開口面の角度が０度に近い角度）場合は、先端の丸味が鋭くなるために、銅箔テープとシールド線の間に差し込むことが容易となるが、剥離するシールド線の軸方向の長さが短い場合は使用できない。逆に、傾斜角度が急な（軸に対する孔開口面の角度が９０度に近い角度）場合は、剥離するシールド線の軸方向の長さが短い場合に使用できるが、先端の丸味が緩やかになるために、銅箔テープとシールド線の間に差し込みにくくなる。
【００２４】
従って、孔開口面の傾斜角度（軸に対する孔開口面の角度）は、操作性と剥離するシールド線の軸方向の長さの両面を考慮して決めることが最良である。
【実施例１】
【００２５】
図１は、本発明のシールド線開き治具の実施例の全体の外観図及び先端部の拡大図である。（ａ）は全体の外観図で、（ｂ）、（ｃ）及び（ｄ）は、それぞれ（ａ）のＡ部のＢ矢視図、断面図及びＣ矢視図である。
図１の（ａ）、（ｂ）、（ｃ）及び（ｄ）に示すように、円柱体１は内部で軸方向に断面円形の孔２を有し、円柱体１の先端部は軸に対して傾斜した孔開口面４となっている。さらに先端部は、孔開口面４の周線５から後方（（ｃ）において周線５から右方向）に傾斜面６を有しており、この傾斜面６によって周線５を先端とする刃形部１５を形成している。この傾斜面６は、図１の（ｃ）では孔２の上側と下側とでは傾斜角度が異なっているが、これを同じにしてもよい。
【００２６】
図２は、本発明のシールド線開き治具の実施例の使用状態の詳細を示す図であり、（ａ）は、ケーブルストリッパーなどを使って図３の（ｄ）の状態に加工した同軸ケーブルの端末にシールド線開き治具の孔２を差し込んだ状態を示したもので、（ｂ）は、（ａ）のＤ部の断面図である。なお、図３の（ａ）及び（ｂ）に示す銅箔テープ９は、図２の（ａ）ではシールド線１０の内側となっているため図示されていない。
【００２７】
図２の（ｂ）に示すように、シールド線開き治具の円柱体１の孔２には同軸ケーブルの導体７と絶縁体８の先端が挿入され、シールド線開き治具の刃形部１５の最先端が銅箔テープ９とシールド線１０の切断部に接触する。この状態で、刃形部１５の最先端が銅箔テープ９とシールド線１０の間に入り込むようにして円柱体１全体を矢印の方向に僅かに押し込むことによって、刃形部１５の最先端の刃先が銅箔テープ９とシールド線１０の間に僅かに入り、その部分のシールド線１０を銅箔テープ９から剥離する。
【００２８】
この状態で、円柱体１全体を軸の周りで僅かに左右に捻ると刃形部１５の最先端の刃先付近のシールド線１０が銅箔テープ９から部分的に剥離する。このように円柱体１全体を左右に捻る操作を続けながら円柱体１全体を矢印の方向に押し込むことによって、シールド線１０が順次剥離されながら円柱体１の先端が同軸ケーブルに円滑に差し込まれて行き、シールド線１０と銅箔テープ９は刃形部１５に噛み込まれて傷付くことが無く、シールド線１０は銅箔テープ９から剥離されて（ｃ）に示すように傾斜面６に沿って開傘した状態となる。
【００２９】
その後、同軸ケーブルからシールド線開き治具２０を（（ｃ）において右方向に）引き抜くことによって、図３の（ｅ）状態となりシールド線の開き作業が終了する。
【図面の簡単な説明】
【００３０】
【図１】本発明のシールド線開き治具の実施例の全体の外観図及び先端部の拡大図である。
【図２】本発明のシールド線開き治具の実施例の使用状態の詳細を示す図である。
【図３】シールド線の構造図及びシールド線の先端にコネクタを装着する手順を示す図である。
【図４】従来のシールド線開き治具の先端部の構造を示す外観図及び拡大図である。
【図５】従来のシールド線開き治具の使用状態の詳細を示す図である。
【符号の説明】
【００３１】
１  円柱体
２  孔
４  孔開口面
５  周線
６  傾斜面
７  導体
８  絶縁体
９  銅箔テープ
１０  シールド線
１１  外被
１２  コンタクト
１３  シェル
１４  フェルール
１５  刃形部
２０  シールド線開き治具（部分）
３１  円柱体
３２  孔
３４  孔開口面
３５  斜面
３６  刃形部
４１  シールド線開き治具（部分）
【図１】
2005312257.tif 000003
【図２】
2005312257.tif 000004
【図３】
2005312257.tif 000005
【図４】
2005312257.tif 000006
【図５】
2005312257.tif 000007